(57)【要約】【課題】情報が分散されて蓄積されている状況においても定型の項目を有する情報を扱うことが可能な情報公開システム、情報公開方法およびプログラムを提供する。【解決手段】ネットワーク６上に分散配置された複数の情報公開装置３は、一つの項目表蓄積装置２の項目表７を参照して、情報発信端末５に表示される入力フォームを項目表７の項目に適した形で生成し、入力された項目と項目の値を公開情報８に記述する。このため、ネットワーク６上に分散配置された情報公開装置３で公開された公開情報８の項目のフォーマットが統一される。【選択図】  図１
2006065451.tif 000002
【特許請求の範囲】
【請求項１】
ネットワークに接続され、定型の項目を含む項目表を記憶する記憶手段を有する項目表蓄積装置と、
前記ネットワークを介して前記項目表蓄積装置から前記項目表を取得する取得手段と、
前記項目表に基づいて入力フォームを生成するインターフェース生成手段と、
前記入力フォームに基づいて情報発信端末により入力されたデータを受け付ける受付手段と、
前記データに基づいて公開情報を生成する公開情報生成手段と、
前記公開情報を閲覧させる公開手段と
を有する複数の情報公開装置と
から構成されることを特徴とする情報公開システム。
【請求項２】
前記公開情報生成手段は、前記データの入力に対応する前記入力フォームの生成に用いられた項目表に基づいて前記公開情報を生成する
ことを特徴とする請求項１記載の情報公開システム。
【請求項３】
前記ネットワークを介して前記公開情報を取得する公開情報取得手段と、
取得した前記公開情報に対応する項目表に応じて前記公開情報を出力する出力手段と
を有する情報閲覧装置
をさらに備えることを特徴とする請求項１または２記載の情報公開システム。
【請求項４】
前記情報閲覧装置は、
前記公開情報を蓄積する公開情報蓄積手段と、
ユーザが所望する情報に関する検索情報を受信すると、前記公開情報蓄積手段に蓄積された公開情報の中から、前記公開情報に対応する項目のデータを有する公開情報を抽出する検索手段と
をさらに備えることを特徴とする請求項３記載の情報公開システム。
【請求項５】
ネットワークに接続された複数の情報公開装置により情報が公開される情報公開方法であって、
情報公開装置により前記ネットワークを介して定型の項目を含む項目表を格納する項目表蓄積装置から前記項目表を取得する第１のステップと、
前記情報公開装置により前記項目表に基づいて入力フォームを生成する第２のステップと、
前記情報公開装置により前記入力フォームに基づいて情報発信端末により入力されたデータを受け付ける第３のステップと、
前記情報公開装置により前記データに基づいて公開情報を生成する第４のステップと、
前記情報公開装置により前記公開情報を閲覧させる第５ステップと
を有することを特徴とする情報公開方法。
【請求項６】
前記第４のステップは、前記データの入力に対応する前記入力フォームの生成に用いられた項目表に基づいて前記公開情報を生成する
ことを特徴とする請求項５記載の情報公開方法。
【請求項７】
情報閲覧装置により前記ネットワークを介して前記公開情報を取得する第６のステップと、
前記情報閲覧装置により取得した前記公開情報に対応する項目表に応じて前記公開情報を出力する第７のステップと
をさらに有することを特徴とする請求項５または６記載の情報公開方法。
【請求項８】
前記情報閲覧装置により前記公開情報を蓄積する第８のステップと、
前記情報閲覧装置によりユーザが所望する情報に関する検索情報を受信すると、前記第８のステップで蓄積された公開情報の中から、前記検索情報に対応する項目のデータを有する公開情報を抽出する第９のステップと
をさらに有することを特徴とする請求項７記載の情報公開方法。
【請求項９】
ネットワークに接続された複数の情報公開装置により情報が公開される情報公開システムのプログラムであって、
情報公開装置により前記ネットワークを介して定型の項目を含む項目表を格納する項目表蓄積装置から前記項目表を取得する第１のステップと、
前記情報公開装置により前記項目表に基づいて入力フォームを生成する第２のステップと、
前記情報公開装置により前記入力フォームに基づいて情報発信端末により入力されたデータを受け付ける第３のステップと、
前記情報公開装置により前記データに基づいて公開情報を生成する第４のステップと、
前記情報公開装置により前記公開情報を閲覧させる第５ステップと
を実行することを特徴とするプログラム。
【請求項１０】
前記第４のステップは、前記データの入力に対応する前記入力フォームの生成に用いられた項目表に基づいて前記公開情報を生成する
ことを特徴とする請求項９記載のプログラム。
【請求項１１】
情報閲覧装置により前記ネットワークを介して前記公開情報を取得する第６のステップと、
前記情報閲覧装置により取得した前記公開情報に対応する項目表に応じて前記公開情報を出力する第７のステップと
をさらに実行することを特徴とする請求項９または１０記載のプログラム。
【請求項１２】
前記情報閲覧装置により前記公開情報を蓄積する第８のステップと、
前記情報閲覧装置によりユーザが所望する情報に関する検索情報を受信すると、前記第８のステップで蓄積された公開情報の中から、前記検索情報に対応する項目のデータを有する公開情報を抽出する第９のステップと
をさらに実行することを特徴とする請求項１１記載のプログラム。
【発明の詳細な説明】
【技術分野】
【０００１】
本発明は、情報を公開する装置が複数存在するネットワーク上での情報公開に関するものであり、特に定型の項目を有する情報の公開システム、公開方法およびプログラムに関するものである。
【背景技術】
【０００２】
従来より、Ｗｅｂサーバ等の情報を公開する情報公開装置が実現されている（例えば、非特許文献１参照。）。このような情報公開装置がネットワーク上に分散して複数存在するシステムでは、情報発信者が情報公開装置にアクセスして情報公開装置毎に設定された入力フォームに基づいて情報を入力すると、情報公開装置は、入力された情報を蓄積するとともにその情報の概要を例えば非特許文献２に開示された方法を用いて公開する。公開情報を閲覧したい閲覧者は、取得したい公開情報を有する情報公開装置にアクセスして公開情報を取得し、Ｗｅｂブラウザを利用して公開情報の内容を閲覧する（例えば、非特許文献３参照。）。
【０００３】
また、単一の情報公開装置に情報を集中して蓄積し、この蓄積された情報を公開するシステムも存在する（例えば、特許文献１参照。）。このシステムでは、情報発信者が情報公開装置にアクセスすると、情報発信者の端末装置に定型の項目を有する入力フォームが表示され、情報発信者が項目毎に入力した情報が情報公開装置に蓄積される。定型の項目に沿って情報が入力されているので、閲覧者は、情報公開装置に蓄積されている情報の中から所望する情報を項目毎に検索して閲覧することができる。
【０００４】
なお、出願人は、本明細書に記載した先行技術文献情報で特定される先行技術文献以外には、本発明に関連する先行技術文献を出願時までに発見するには至らなかった。
【特許文献１】特開２００４−８６２７５号公報
【非特許文献１】Movable Type Publishing Platform、［online］、[平成１６年８月３日検索]、インターネット<URL:http://www.movabletype.org/>
【非特許文献２】M.Kanzaki、“RSS-サイト情報の要約と公開”、［online］、[平成１６年８月３日検索]、インターネット<URL:http://www.kanzaki.com/docs/sw/rss.html>
【非特許文献３】Sharp Reader、［online］、[平成１６年８月３日検索]、インターネット<URL:http://www.sharpreader.com>
【発明の開示】
【発明が解決しようとする課題】
【０００５】
上述した単一の情報公開装置に情報を集中して蓄積するシステムでは、情報を複数の情報公開装置で分散して蓄積する状況を想定していない。また、複数の情報公開装置に情報を分散して蓄積するシステムでは、全ての情報公開装置で入力フォームが共通しているとは限らないので、閲覧の際に定型の項目毎に所望する情報を閲覧するのが困難であった。
そこで、本発明は上述したような課題を解決するためになされたものであり、情報が分散されて蓄積されている状況においても定型の項目を有する情報を扱うことが可能な情報公開システム、情報公開方法およびプログラムを提供することを目的とする。
【課題を解決するための手段】
【０００６】
上述したような課題を解決するために、本発明に係る情報公開システムは、ネットワークに接続され、定型の項目を含む項目表を記憶する記憶手段を有する項目表蓄積装置と、ネットワークを介して項目表蓄積装置から項目表を取得する取得手段と、項目表に基づいて入力フォームを生成するインターフェース生成手段と、入力フォームに基づいて情報発信端末により入力されたデータを受け付ける受付手段と、データに基づいて公開情報を生成する公開情報生成手段と、公開情報を閲覧させる公開手段とを有する複数の情報公開装置とから構成されることを特徴とする。
【０００７】
上記情報公開システムにおいて、公開情報生成手段は、データの入力に対応する入力フォームの生成に用いられた項目表に基づいて公開情報を生成するようにしてもよい。
【０００８】
上記情報公開システムにおいて、情報閲覧装置は、公開情報を蓄積する公開情報蓄積手段と、ユーザが所望する情報に関する検索情報を受信すると、公開情報蓄積手段に蓄積された公開情報の中から、公開情報に対応する項目のデータを有する公開情報を抽出する検索手段とをさらに備えるようにしてもよい。
【０００９】
上記情報公開システムにおいて、情報閲覧装置は、公開情報を蓄積する公開情報蓄積手段と、ユーザが所望する情報に関する検索情報を受信すると、公開情報蓄積手段に蓄積された公開情報の中から、検索情報に対応する項目のデータを有する公開情報を抽出する検索手段とをさらに備えるようにしてもよい。
【００１０】
また、本発明に係る情報公開方法は、ネットワークに接続された複数の情報公開装置により情報が公開される情報公開方法であって、情報公開装置によりネットワークを介して定型の項目を含む項目表を格納する項目表蓄積装置から項目表を取得する第１のステップと、情報公開装置により項目表に基づいて入力フォームを生成する第２のステップと、情報公開装置により入力フォームに基づいて情報発信端末により入力されたデータを受け付ける第３のステップと、情報公開装置によりデータに基づいて公開情報を生成する第４のステップと、情報公開装置により公開情報を閲覧させる第５ステップとを有することを特徴とする。
【００１１】
上記情報公開方法において、第４のステップは、データの入力に対応する入力フォームの生成に用いられた項目表に基づいて公開情報を生成するようにしてもよい。
【００１２】
上記情報公開方法において、情報閲覧装置によりネットワークを介して公開情報を取得する第６のステップと、情報閲覧装置により取得した公開情報に対応する項目表に応じて公開情報を出力する第７のステップとをさらに有するようにしてもよい。
【００１３】
上記情報公開方法において、情報閲覧装置により公開情報を蓄積する第８のステップと、情報閲覧装置によりユーザが所望する情報に関する検索情報を受信すると、第８のステップで蓄積された公開情報の中から、検索情報に対応する項目のデータを有する公開情報を抽出する第９のステップとをさらに有するようにしてもよい。
【００１４】
また、本発明に係るプログラムは、ネットワークに接続された複数の情報公開装置により情報が公開される情報公開システムのプログラムであって、情報公開装置によりネットワークを介して定型の項目を含む項目表を格納する項目表蓄積装置から項目表を取得する第１のステップと、情報公開装置により項目表に基づいて入力フォームを生成する第２のステップと、情報公開装置により入力フォームに基づいて情報発信端末により入力されたデータを受け付ける第３のステップと、情報公開装置によりデータに基づいて公開情報を生成する第４のステップと、情報公開装置により公開情報を閲覧させる第５ステップと実行することを特徴とする。
【００１５】
上記プログラムにおいて、第４のステップは、データの入力に対応する入力フォームの生成に用いられた項目表に基づいて公開情報を生成するようにしてもよい。
【００１６】
上記プログラムにおいて、情報閲覧装置によりネットワークを介して公開情報を取得する第６のステップと、情報閲覧装置により取得した公開情報に対応する項目表に応じて公開情報を出力する第７のステップとをさらに実行するようにしてもよい。
【００１７】
上記プログラムにおいて、情報閲覧装置により公開情報を蓄積する第８のステップと、情報閲覧装置によりユーザが所望する情報に関する検索情報を受信すると、第８のステップで蓄積された公開情報の中から、検索情報に対応する項目のデータを有する公開情報を抽出する第９のステップとをさらに実行するようにしてもよい。
【発明の効果】
【００１８】
本発明によれば、ネットワーク上に分散された複数の情報公開装置が、項目表蓄積装置の項目表を参照し、情報発信端末が用いる入力フォームを項目に適した形で生成するので、定型の項目を有する情報を扱うことが可能となる。
【発明を実施するための最良の形態】
【００１９】
以下、図面を参照して本発明の実施の形態について詳細に説明する。図１は、本実施の形態に係る情報公開システムの構成を示すブロック図である。
本実施の形態に係る情報公開システム１は、項目表蓄積装置２と、複数の情報公開装置３と、複数の情報閲覧装置４と、情報発信端末５とを有し、これらはインターネット、LAN(Local Area Network)、WAN(Wide Area Network)等のネットワーク６に接続されている。
【００２０】
項目表蓄積装置２は、情報公開装置３、情報閲覧装置４および情報発信端末５と独立した装置であり、複数の項目表７を記憶した記憶部２１を有する。項目表７には、その項目表の記載内容のテーマに沿った複数の項目が設定されている。各項目は、名称、ＵＲＬ、コメント等のテキスト入力を要求する項目や選択肢を選ぶ項目などから構成される。このような項目は、各項目表７で相互に対応可能なフォーマットで記述される。
このような項目表７は、情報公開システム１の管理者や利用者により生成される。
【００２１】
図２は、項目表７の一例を示す図である。
図２に示すように、項目表７には、この項目表に対応する情報のリンク先のＵＲＬ等が記載される「原本」の項目と、この項目表の記載内容の主題等を示す「話題の対象」の項目と、分類や原材料の選択肢からなる項目と、購入価格を入力するという数値やテキストの入力を求める項目などから構成される。
【００２２】
このような項目蓄積装置２は、ＣＰＵ等の演算装置、メモリ、HDD等の記憶装置、ネットワーク６を介して情報公開装置３、情報閲覧装置４および情報発信端末５と各種情報の送受を行うＩ/Ｆ装置、キーボード、マウス等の入力装置、CRT(Cathode Ray Tube)、LCD(Liquid Crystal Display)、FED(Field Emission Display)または有機EL(Electro Luminescence)等の表示装置などを備えたコンピュータと、このコンピュータにインストールされたプログラムとからそれぞれ構成されており、上記ハードウェア装置がプログラムによって制御されることによって、すなわちハードウェア資源とソフトウェアが協働することによって、項目表蓄積装置２の各機能部を実現する。
【００２３】
図３は、情報公開装置３の構成を示すブロック図である。
情報公開装置３は、情報発信端末５により入力された情報から公開情報を生成するものであり、受付部３１と、項目表取得部３２と、情報蓄積部３３と、公開情報生成部３４と、公開部３５とを有する。
【００２４】
受付部３１は、ユーザインターフェース生成部３１ａと、入力受付部３１ｂとを備える。
ユーザインターフェース生成部３１ａは、項目表蓄積装置２に蓄積された項目表７に基づいて、情報発信端末５の表示装置に表示される入力フォームを生成する。
入力受付部３１ｂは、ユーザインターフェース生成部３１ａにより作成された入力フォームに基づく情報発信端末５のユーザによる操作入力を検出し、検出した情報をユーザインターフェース生成部３１ａまたは情報蓄積部３３に送信する。
【００２５】
項目表取得部３２は、ユーザインターフェース生成部３１ａの指示に基づいて、項目表蓄積装置２から項目表７を取得する。
情報蓄積部３３は、入力受付部３１ｂから受信した情報および公開情報生成部３４により生成された公開情報８を記憶する。
公開情報生成部３４は、情報蓄積部３３に記憶された情報に基づいて、公開情報８を生成する。
公開部８は、公開情報生成部３４により生成された公開情報８をネットワーク６上に公開する。
【００２６】
このような情報公開装置３は、ＣＰＵ等の演算装置、メモリ、HDD等の記憶装置、ネットワーク６を介して項目表蓄積装置２、情報閲覧装置４および情報発信端末５と各種情報の送受を行うＩ/Ｆ装置、キーボード、マウス等の入力装置、CRT(Cathode Ray Tube)、LCD(Liquid Crystal Display)、FED(Field Emission Display)または有機EL(Electro Luminescence)等の表示装置などを備えたコンピュータと、このコンピュータにインストールされたプログラムとからそれぞれ構成されており、上記ハードウェア装置がプログラムによって制御されることによって、すなわちハードウェア資源とソフトウェアが協働することによって、受付部３１、項目表取得部３２、情報蓄積部３３、公開情報生成部３４および公開部３５の各機能部を実現する。
【００２７】
図４は、情報閲覧装置４の構成を示すブロック図である。
情報閲覧装置４は、情報公開装置３から公開情報を受信して閲覧する装置であり、取得公開情報登録部４１と、公開情報取得部４２と、公開情報蓄積部４３と、項目表取得部４４と、ユーザインターフェース生成部４５とを有する。
【００２８】
取得公開情報登録部４１は、例えば名称、ＵＲＬ、ＩＰアドレスなど、取得したい公開情報８を生成する情報公開装置３に関する情報を登録している。この登録は、情報閲覧装置４のユーザにより適宜自由に行われる。
公開情報取得部４２は、取得公開情報登録部４１を参照して、情報公開装置３から公開情報８を取得する。
【００２９】
公開情報蓄積部４３は、公開情報取得部４２により取得された公開情報８を記憶する。
項目表取得部４４は、項目表蓄積装置２から項目表７を取得する。
ユーザインターフェース生成部４５は、項目表取得部４４により取得された項目表７に基づいて、情報閲覧装置４の表示装置に表示する公開情報の表示画面を生成する。
検索部４６は、ユーザの操作入力により、ユーザが所望する公開情報に関するキーワード等の検索情報を受信すると、公開情報蓄積部４３に蓄積されている公開情報の中から検索情報に対応する項目のデータを有する公開情報を抽出する。この抽出した公開情報は、ユーザインターフェース生成部４５に送出され、情報閲覧装置４の表示画面に表示される。
【００３０】
このような情報閲覧装置４は、ＣＰＵ等の演算装置、メモリ、HDD等の記憶装置、ネットワーク６を介して項目表蓄積装置２、情報公開装置３および情報発信端末５と各種情報の送受を行うＩ/Ｆ装置、キーボード、マウス等の入力装置、CRT(Cathode Ray Tube)、LCD(Liquid Crystal Display)、FED(Field Emission Display)または有機EL(Electro Luminescence)等の表示装置などを備えたコンピュータと、このコンピュータにインストールされたプログラムとからそれぞれ構成されており、上記ハードウェア装置がプログラムによって制御されることによって、すなわちハードウェア資源とソフトウェアが協働することによって、取得公開情報登録部４１、公開情報取得部４２、公開情報蓄積部４３、項目表取得部４４、ユーザインターフェース生成部４５および検索部４６の各機能部を実現する。
【００３１】
情報発信端末５は、ユーザの操作入力に基づいて情報公開装置３にアクセスし、表示画面に表示された入力フォームにしたがってユーザにより入力された情報を情報公開装置３に送信する装置である。なお、情報公開装置３との各種情報の送受信や情報の入力等は、ブラウザ機能や情報公開装置３の入力受付部３１ｂが対応するソフトウェア等により実現される。
【００３２】
このような情報発信端末５は、ＣＰＵ等の演算装置、メモリ、HDD等の記憶装置、ネットワーク６を介して情報公開装置３と各種情報の送受を行うＩ/Ｆ装置、キーボード、マウス等の入力装置、CRT(Cathode Ray Tube)、LCD(Liquid Crystal Display)、FED(Field Emission Display)または有機EL(Electro Luminescence)等の表示装置などを備えたコンピュータと、このコンピュータにインストールされたプログラムとからそれぞれ構成されており、上記ハードウェア装置がプログラムによって制御されることによって、すなわちハードウェア資源とソフトウェアが協働することによって、情報発信端末５の各機能部を実現する。
【００３３】
次に、本実施の形態に係る情報公開システムの動作について説明する。
まず、図５を参照して、公開情報の生成動作について説明する。図５は、公開情報の生成動作を示すフローチャートである。
情報公開装置２は、情報発信端末５がアクセスしたことを検出すると、ユーザインターフェース生成部３１ａにより、その情報発信端末５の表示装置に表示する入力フォームを生成し、情報発信端末５の表示装置に表示させる（ステップＳ５０１）。この送信する入力フォームには、例えば複数の話題が表示され、情報発信端末５のユーザはその話題の中から情報の入力を所望する話題を選択する。
【００３４】
情報発信端末５により選択された話題が項目表７を利用する話題の場合（ステップＳ５０２：ＹＥＳ）、情報公開装置３の項目表取得部３２は、対応する項目表７を項目表蓄積装置２から取得し、ユーザインターフェース生成部３１ａに送信する（ステップＳ５０３）。項目表取得部３２は、ユーザインターフェース生成部３１ａから選択された話題の情報を受信すると、この情報に基づいて対応する項目表７を項目表蓄積装置２から取得する。
【００３５】
項目表７を受信すると、情報公開装置３のユーザインターフェース生成部３１ａは、情報発信端末５により選択された話題に関するデータを入力するための入力フォームを、受信した項目表７に基づいて作成し、情報発信端末５の表示装置に表示させる（ステップＳ５０４）。
入力フォームには、項目表７に基づく情報のみならず、情報公開装置３が独自に有する情報を掲載するようにしてもよい。
【００３６】
情報発信端末５により選択された話題が項目表７を利用しない話題の場合（ステップＳ５０２：ＮＯ）、ユーザインターフェース生成部３１ａは、情報発信端末５により選択された話題に関するデータを入力するための入力フォームを情報発信端末５の表示装置に表示させる。
【００３７】
情報発信端末５のユーザにより情報発信端末５の表示装置に表示された入力フォームに基づいて入力されたデータを受信すると（ステップＳ５０５）、情報公開装置３の入力受付部３１ｂは、その入力データを情報蓄積部３３に記憶させる（ステップＳ５０６）。
また、公開情報生成部３４は、情報蓄積部３３に蓄積されたデータをもとに、公開情報８を生成する（ステップＳ５０７）。公開部３５は、生成された公開情報８をネットワーク６上に公開する（ステップＳ５０８）。
【００３８】
上述したように生成された公開情報８の具体例を図６に示す。図６は、公開情報８の一例を示す図である。
公開情報８には、「タイトル」、「リンク詳細」、「キーワード」、「日付」等の情報発信端末５により選択された話題に関する種々のデータとともに、項目表７に基づく「話題の対象」、「分類」、「原材料」、「購入価格」等の項目に関する情報からなる項目情報とが含まれる。ちなみに、図６の項目情報の部分は、図２に示した項目表に対応している。
ここで公開情報８に含まれる項目情報以外の部分は、各情報公開装置３が有している情報に基づいて生成される。
【００３９】
このように、公開情報８には項目表７に基づく項目情報が含まれるので、分散した複数の情報公開装置３で公開情報が生成された場合であっても、所望する情報の検索を項目毎に行うことが可能となる。
また、情報公開装置３は、他の装置と独立している項目表蓄積装置２に格納された項目表７に基づいて、公開情報を作成する。このため、同じ項目表蓄積装置２を利用する情報公開装置３により生成された公開情報は、同じフォーマットを有するので、公開情報が分散して蓄積された場合であっても、項目毎に所望する情報の検索が可能となる。
【００４０】
次に、図７を参照して、公開情報の閲覧動作について説明する。図７は、公開情報の閲覧動作を示すフローチャートである。
まず、情報閲覧装置４の取得公開情報登録部４１には、ユーザの操作入力に基づいて、ユーザが公開情報の取得を所望する情報公開装置３が予め登録されている。
【００４１】
情報を閲覧する旨のユーザによる操作入力を検出すると、情報閲覧装置４の公開情報取得部４２は、取得公開情報登録部４１に登録されている情報公開装置３から公開情報８を取得する（ステップＳ７０１）。
公開情報取得部４２は、取得した公開情報８を公開情報蓄積部４３に送信し、公開情報蓄積部４３に記憶させる（ステップＳ７０２）。
【００４２】
公開情報取得部４２により取得された公開情報８が項目表７を利用している場合（ステップＳ７０３：ＹＥＳ）、項目表取得部４４は、対応する項目表７を項目表蓄積部２から取得する。この取得した項目表７に基づいて、ユーザインターフェース生成部４５は、情報閲覧装置４の表示装置に表示する出力画面を生成し（ステップＳ７０４）、この出力画面を表示する（ステップＳ７０５）。
【００４３】
公開情報取得部４２により取得された公開情報８が項目表７を利用していない場合（ステップＳ７０３：ＮＯ）、ユーザインターフェース生成部４５は、取得した公開情報８を情報閲覧装置４の表示装置に予め設定されている出力画面で表示させる（ステップＳ７０５）。
【００４４】
このような情報閲覧装置４では、ユーザの操作入力により所望する情報に関するキーワード等が入力されると、検索部４６が公開情報蓄積部４３に蓄積されている公開情報の中からそのキーワードに対応する項目のデータを有する公開情報を抽出し、表示装置に表示させる。
【００４５】
このように本実施の形態によれば、分散された複数の情報公開装置３が、一つの項目表蓄積装置２の項目表７を参照し、情報発信端末５に表示される入力フォームを項目表７の項目に適した形で生成し、入力された項目と項目の値を公開情報８に記述するため、分散された情報公開装置３で公開された公開情報の項目のフォーマットが統一される。これにより、情報閲覧装置４において公開情報８を項目毎に検索して閲覧することができる。
また、情報公開装置３が項目情報を有する公開情報８を公開し、情報閲覧装置４によりその公開情報を蓄積し、閲覧可能としている。このため、分散した複数の情報公開装置３で生成された公開情報８に対し、一度の処理での検索が可能となる。
また、情報公開装置３は、項目表７に基づく入力フォームを生成して情報発信端末５の表示装置に表示させるため、入力すべき情報が示される。その入力フォームには、項目表７のみならず情報公開装置３が独自に有する情報をも含めることができるので、より詳細な情報の入力を促すことが可能となる。
さらに、情報閲覧装置４は、公開情報８を対応する項目表７を参照して表示装置に出力する表示画面を生成するので、公開情報８のうち項目情報に対応する部分をユーザが識別することが可能となる。これにより、公開情報８を検索する際に用いることができる項目をユーザが認識できるので、効果的な公開情報８の検索が可能となる。
【００４６】
したがって、情報が分散されて蓄積されている状況においても、定型の項目を有する情報を扱うことが可能となる。
【図面の簡単な説明】
【００４７】
【図１】情報公開システムの構成を示すブロック図である。
【図２】項目表の一例を示す図である。
【図３】情報公開装置の構成を示すブロック図である。
【図４】情報閲覧装置の構成を示すブロック図である。
【図５】公開情報の生成動作を示すフローチャートである。
【図６】公開情報の一例を示す図である。
【図７】公開情報の閲覧動作を示すフローチャートである。
【符号の説明】
【００４８】
１…情報公開システム、２…項目表蓄積装置、３…情報公開装置、４…情報閲覧装置、５…情報発信端末、６…ネットワーク、７…項目表、８…公開情報、２１…記憶部、３１…受付部、３１ａ…ユーザインターフェース生成部、３１ｂ…入力受付部、３２…項目表取得部、３３…情報蓄積部、３４…公開情報生成部、３５…公開部、４１…公開情報登録部、４２…公開情報取得部、４３…公開情報蓄積部、４４…項目表取得部、４５…ユーザインターフェース生成部、４６…検索部。
【図１】
2006065451.tif 000003
【図２】
2006065451.tif 000004
【図３】
2006065451.tif 000005
【図４】
2006065451.tif 000006
【図５】
2006065451.tif 000007
【図６】
2006065451.tif 000008
【図７】
2006065451.tif 000009